(57)【要約】【課題】  場所をとることなく、容器に簡易に保持させて保管することができる計量カップを提供することである。【解決手段】  この計量カップ１は、カップ部２と、このカップ部２から延びる柄部３とを有し、容器５の口部６に装着したキャップ８に嵌め入れる取付孔４を、柄部３のカップ部２とは反対側の端部に設け、且つ、この柄部３を容器５の外壁に沿わせるように折曲げるためのヒンジ部１１を、柄部３に設けた構成を有する。それによって、計量カップ１を容器５の口部６などに簡易に保持させて保管することができる。【選択図】      図５
2005114591.tif 000002
【特許請求の範囲】
【請求項１】
カップ部と、該カップ部から延びる柄部とを有する計量カップにおいて、
該計量カップを容器に止着するための取付部を、前記柄部のカップ部とは反対側の端部に設け、且つ、前記計量カップを前記容器の外壁に沿わせるように柄部を折り曲げるためのヒンジ部を、前記柄部に設けたことを特徴とする計量カップ。
【請求項２】
前記取付部が、前記容器の口部に装着される取付孔又は取付凹部を備えていることを特徴とする請求項１記載の計量カップ。
【請求項３】
前記取付部が、前記容器の外周縁に引っ掛けるクリップ部を備えていることを特徴とする請求項１記載の計量カップ。
【請求項４】
前記ヒンジ部が、柄部を、カップ部の開口側に折り曲げることができるが、これと反対側に折り曲げることができないように形成されていることを特徴とする請求項１記載の計量カップ。
【請求項５】
前記ヒンジ部が、柄部に設けられたスリットから形成されていることを特徴とする請求項１記載の計量カップ。
【請求項６】
前記スリットが柄部の長手方向に延びる軸線に対して傾斜して設けられていることを特徴とする請求項５記載の計量カップ。
【請求項７】
前記ヒンジ部が分離された２つの柄部片を接続する折曲げ可能な可撓片から形成されていることを特徴とする請求項１記載の計量カップ。
【請求項８】
カップ部と、該カップ部から延びる柄部とを有する計量カップにおいて、
該計量カップを容器に止着するための取付部を、前記柄部のカップ部とは反対側の端部に設け、且つ、前記カップ部に残存した計量物をカップ部から排出しないように溜めるための溜り部を前記カップ部に設けたことを特徴とする計量カップ。
【請求項９】
前記溜り部は、カップ部の先端壁の上部をカップ部の底面に向かってカップ部の内方に傾斜することによって形成されていることを特徴とする請求項８記載の計量カップ。
【発明の詳細な説明】
【技術分野】
【０００１】
本発明は、洗剤や洗濯剤の如き液体や粉体を計量するための計量カップの改良に関するものである。
【背景技術】
【０００２】
一般に、ビニール容器詰めや箱詰めの液状又は粉状の洗剤あるいは洗濯剤等を計量するのに利用される計量カップは公知である。また、詰め替え用のシャンプやリンス等がビニール袋詰めで販売されていることも知られている。最近、キャップを設けたビニール袋等の容器にシャンプ等を入れ、この容器を、詰め替え用としてでなく、そのまま、使用に供し、使い終わったら廃棄する形態のものが市場に出ている。このようにそのまま使用する容器でも液体や紛状の洗剤又は洗濯剤のように、使用の都度、計量カップを使うような場合には、計量カップの保管場所がない等の問題があった。
【０００３】
従来、この種の計量カップは、計量スプーンの掬い入れ部の一部を挟持するように容器本体の内壁に設けられたスプーン固定部によって容器に保持されたもの（特許文献１参照）、計量スプーンの把手部の一部を抱持するように容器本体の内壁に設けられたスプーン固定部によって容器に保持されたもの（特許文献２参照）および計量スプーンを吊下げるように容器体の内面に設けられたフックによって容器体に保持されたもの（特許文献３参照）がある。
【特許文献１】特開平８−３０１２８７号公報
【特許文献２】特開平８−３０１２８８号公報
【特許文献３】実開平６−７６０６０号公報
【発明の開示】
【発明が解決しようとする課題】
【０００４】
しかしながら、上述の如き文献に開示された従来技術では、いずれもスプーン固定部やフックを容器本体の内部に設置し、これらスプーン固定部やフックによって、計量スプーンを容器の内部に保持するものであり、従って、これら技術では、計量カップあるいは計量スプーンを保持するために、既存の容器、例えば、ビニール袋などの内部にフック等を設ける加工が必要である。しかし、既存の容器にフック等を設ける加工を行うことは全く不可能である。従って、上記従来技術では、計量カップないしは計量スプーンをビニール袋などの容器に保管することはできなかった。
【０００５】
そこで、本発明の目的は、計量カップを容器の口部などに、簡易に保持させて保管するように構成された計量カップを提供することにある。
【課題を解決するための手段】
【０００６】
上述の目的を達成するために、本発明に係る計量カップは、カップ部と、このカップ部から延びる柄部とを有し、計量カップを容器に止着するための取付部を、前記柄部のカップ部とは反対側の端部に設け、且つ、計量カップを前記容器の外壁に沿わせるように柄部を折り曲げるためのヒンジ部を、柄部に設けたことを特徴とする。
【０００７】
また、本発明に係る計量カップは、カップ部と、このカップ部から延びる柄部とを有し、計量カップを容器に止着するための取付部を、前記柄部のカップ部とは反対側の端部に設け、且つ、カップ部に残存した計量物がカップ部から排出しないようにする溜り部を、カップ部に設けたことを特徴とする。
【発明の効果】
【０００８】
上述の如く、容器に止着するための取付部を設けたことによって、計量カップを容器に簡単に保持させることができ、また、使用に際し、計量カップを容器から単に抜き取れば良いので、計量カップの保管および取外しに何ら面倒な操作を必要としない。また、ヒンジ部を柄部に設けたことによって、容器への計量カップの保管時、計量カップを容器の外壁に沿わせることができ、従って、場所をとることがない。
【０００９】
また、上述の如く、カップ部内に残存する計量物の溜り部を設けたことにより、計量カップの保管中に、残存する計量物が計量カップから容易にこぼれることがない。
【発明を実施するための最良の形態】
【００１０】
以下、本発明の最良の形態を、図面を参照して詳細に説明する。
図１には、本発明に係る計量カップ１の一実施例が示されており、この計量カップ１は、カップ部２と、このカップ部２から延びる柄部３と、この柄部３のカップ部２と反対側の端部に形成された取付孔４とを備えている。カップ部２は、開口２ａと底面２ｂとを有する略矩形状の立方体から成り、柄部３は、このカップ部２の一側面の上方から一体に延び、両側に補強リブ３ａを有する断面矩形の扁平な形状を有する。
【００１１】
これらカップ部２および柄部３は、任意のプラスチック材料から適宜の成形手段によって作られる。尚、カップ部２および柄部３は、上記の形状等に限定されない。
【００１２】
計量カップ１は、取付孔４が、図５および図６に示すように、容器５の口部６に嵌合されることによって容器５に取付けられ、保管される。
【００１３】
容器５は、この実施例では、例えば、液状あるいは粉状の洗剤や洗濯剤等の内容物が充填されたビニール袋から成っている。
【００１４】
口部６は、例えば、容器５，即ち、ビニール袋の側面の上方に形成されている。この口部６は、容器５に形成された開口筒部７と、この開口筒部７の外周に設けられたねじ部に螺合されてこの開口筒部７を閉じるキャップ８とを有する。
【００１５】
取付孔４は、図１に示すように、この実施例では、柄部３の端部に設けられたリング部９の中央に形成され、口部６の開口筒部７に装着されたキャップ８に嵌め入れる大きさに設定されている。従って、計量カップ１の取付孔４を前記キャップ８に嵌め入れることによって、計量カップ１を容器５に取付けることができ、こうして計量カップ１を容器５に取付けて保管することができる。計量カップ１の使用時には、取付孔４をキャップ８から抜き取り、計量カップ１を容器５から外せばよい。尚、容器５の口部６は、上記構造に限定されず、種々の形状のものがあり、本発明における計量カップ１では、これら種々の口部６に挿入できるように構成され得ることに留意されたい。
【００１６】
本発明では、更に、取付孔４の内周面に、取付孔４の円周方向に間隔をあけて配置された複数の突起１０が設けられている（図１参照）。これらの突起１０は、キャップ８に取付孔４を嵌め入れたときに、キャップ８の外周面を弾性的に押さえつけて、計量カップ１が口部６から容易に抜けないようにするための作用をしている（図５および図６参照）。なお、上記の取付孔４を口部６の開口筒部７に挿入し、その上からキャップ８をねじ込むこともできる。その場合は、前記突起１０がキャップ８の端部によって押さえられる。
【００１７】
図５に示すように、計量カップ１が容器５の口部６に取付けられたとき、計量カップ１を容器５の外壁に沿わせるために、換言すると、内容物の増減によって変化する容器５の外壁の形状に相応して柄部３を折り曲げることができるように、柄部３にヒンジ部１１が設けられている。このヒンジ部１１は、計量カップ１の保管時、即ち、計量カップ１が容器５の口部６に取付けられたとき、カップ部２や柄部３が容器５の外壁から突き出て場所をとるのを防ぐため、これらを容器５の外壁に沿わせるように折り曲げられる（図５参照）。
【００１８】
このヒンジ部１１は、一実施例では、図１乃至図５に示すように、柄部３に設けられた断面形状が三角形のスリット１２から形成されている。このスリット１２は、例えば、図４に示されるように、柄部３の裏面に、柄部３の幅方向に延び、且つ柄部３の厚さの半分以上の深さに形成されている。また、スリット１２の両端にはストッパ片１２ａ，１２ｂが突設されている。柄部３は、このようにして形成されたヒンジ部１１によって、折り曲げることができる。従って、上述のように、計量カップ１を容器５に取付けたとき、柄部３を適宜折り曲げ、カップ部２および柄部３を図５に示すように、容器５の外壁に沿わせることができる。
【００１９】
ここで、ヒンジ部１１は、柄部３をカップ部２の開口２ａ側に折り曲げることができるが、その反対側、換言すると、カップ部２の底面２ｂ側に折り曲げることができないように設定されているのが好ましい。このため、スリット１２は、上述の如く、柄部３の裏面１３に形成されている。更に詳細にのべると、図３に示されるように、スリット１２を柄部３の裏面１３に形成すると、ヒンジ部１１の位置から取付孔４寄りの柄部３の部分を持ったときでも、スリット１２の両端部に設けられたストッパ片１２ａ，１２ｂがそれぞれ対向するスリット１２の斜壁に突き当たって柄部３が折り曲がることがない。従って、計量時、即ち、カップ部２の中に計量物を入れたとき、柄部３の取付孔４の近い所を持っても柄部３は必要以上に折曲げられないので、柄部３を長くして使えるという利点がある。この場合、柄部３は一方向に折り曲げることができるので、計量カップ１を容器５に取付けたとき、計量カップ１をその折り曲げることができる方向に折り曲げて、容器５の外壁に沿わせればよい。
【００２０】
また、スリット１２は、柄部３の長手方向に延びる軸線Ｘに対して斜めに形成されているのが好ましい（図１参照）。このようにすると、ヒンジ部１１の長さを稼げるので、柄部３の折り曲げ強度が大きくなる他、ヒンジ部１１で折曲げた時に計量カップ１のカップ部２をより適切に容器５の外壁に沿わせることができる。
【００２１】
図７は、ヒンジ部１１の他の実施例を示す。この実施例では、ヒンジ部１１は、分離された柄部片３ａ，３ｂに接続された折曲げ可能な可撓片１４から成っている。
【００２２】
柄部片３ａ，３ｂは、柄部３を任意の中間位置で切断して形成される。可撓片１４は、ある力を加えると折り曲げられて、その折り曲げた状態を保持するが、その折り曲げた状態からある力を加えれば、元の状態に戻すことができる弾力性及び形状性を有する材料から形成されている。この可撓片１４は、ある厚みを有する板状の形状を有し、図７に示すように、柄部片３ａ，３ｂの上面付近を接続するように配置されるのが好ましい。このようにすると、図７に矢印で示すように、柄部３がカップ部２の開口２ａとは反対側へ折曲げられるとき、柄部片３ａ，３ｂの対向端の縦壁１５ａ，１５ｂが突き当たって、柄部３を折曲げることができない。従って、このような可撓片１４の構造によって、上述の実施例の場合と同様に、柄部３を、カップ部２の開口２ａ側に折曲げることができるが、これとは反対側に必要以上に折り曲げることができないので、計量時、柄部３を長くして使用することができる。
【００２３】
図８は取付部の他の実施形態を示したものである。この取付部は前記リング部の一部が開口した取付凹部１６として柄部３の一端に形成されており、開口幅がキャップ８の直径よりやや幅狭になっている。開口側からキャップ８に押し込むことで装着することができる。取付凹部１６の内周面には３箇所に突起１０が設けられ、装着時にはこの突起１０によってもキャップ８の外周面を押え付ける。
【００２４】
図９は前記取付凹部１６の開口を開閉アーム１７で閉じるようにした構成である。開閉アーム１７は、開口の一端に回転自在に取付けられる。開口の他端には開閉アーム１７の先端部に突設した爪部１８と係合する凹部１９が複数設けられる。したがって、キャップ８に取付凹部１６を差し込んだのち、開閉アーム１７を閉じ、適宜の凹部１９に爪部１８を係合することで、しっかりと取付けることができる。取付凹部１６の直径に少し余裕を持たせることで、大きさの異なる複数のキャップに対応することができる。
【００２５】
図１０及び図１１は、前記取付部の他の実施形態を示したものである。この実施形態では、柄部３の一端が折り返されてクリップ部２０を形成している。このクリップ部２０はバネ性を有し、先端部の係止突起２１が柄部３に弾性的に圧接している。したがって、図１１に示したように、容器５の外周縁、例えば口部６の上部外周縁２２にクリップ部２０を引っ掛けると、係止突起２１と柄部３との間で容器５を挟持するので、計量カップ１がしっかりと容器５に取付けられ、ずれ落ちることがない。
【００２６】
図１２には、計量カップ１のカップ部２に残存計量物の溜り部２３を設けた実施例を示す。この溜り部２３は、一実施例では、図１２に示すように、少なくともカップ部２の先端壁２ｃの上部を、カップ部２の底面２ｂに向かってカップ部２の内方にある角度で傾斜することにより形成される。このようにすると、カップ部２の底面２ｂの先端部に、残存する液状や紛状の計量物を溜めるための溜り部２３としての先細りの空間が形成される。尚、上記の如く、カップ部２の先端壁２ｃをカップ部２の内方に傾斜することに伴って、カップ部２の後端壁２ｄを同様の方向および角度で傾斜させると、計量カップ１の成形時、成形型から容易に抜くことができる。
【００２７】
上述の如く構成された計量カップ１を、図１３に示すように、容器５に取付けたとき、即ち、計量カップ１の保管時、カップ部２の中に残存した計量物、即ち、計量のため容器５から取り出した内容物の一部を、溜り部２３に溜めることによって、カップ部２から垂れ落ちないようにすることができる。
【００２８】
図１４は、溜り部２３の他の実施例を示す。この実施例では、溜り部２３は、カップ部２の底面２ｂの先端部に形成された断面略半円形の凹部から形成されている。
【００２９】
このような溜り部２３によっても残存計量物を溜めて、カップ部２からこぼれないようにすることができる。
【００３０】
上記の如く、本発明によれば、場所をとることなく容器に簡易に保管することができ、且つ、保管時、残存する計量物がカップ部からこぼれないようにした計量カップを提供することができる。
【図面の簡単な説明】
【００３１】
【図１】本発明に係る計量カップの一つの実施例を示す斜視図である。
【図２】図１の計量カップの側面図である。
【図３】柄部に設けられたヒンジ部の一実施例を示す部分側面図である。
【図４】図１のＡ−Ａ線断面図である。
【図５】本発明に係る計量カップを容器に取付けた状態を示す斜視図である。
【図６】容器の口部の断面図である。
【図７】ヒンジ部の他の実施例を示す斜視図である。
【図８】取付部の他の実施例を示す平面図である。
【図９】取付部の他の実施例を示す斜視図である。
【図１０】取付部の他の実施例を示す計量カップの側面図である。
【図１１】前記の取付部を備えた計量カップを容器に取付けた状態を示す斜視図である。
【図１２】計量物の垂れ落ちを防止する溜り部の一実施例を示す本発明に係る計量カップの側面図である。
【図１３】溜り部の作用を示す計量カップの一部を断面した側面図である。
【図１４】溜り部の他の実施例を示す計量カップの部分側面図である。
【符号の説明】
【００３２】
１  計量カップ
２  カップ部
３  柄部
４  取付孔（取付部）
５  容器
６  口部
８  キャップ
１１  ヒンジ部
１２  スリット
１６  取付凹部（取付部）
２０  クリップ部（取付部）
２２  上部外周縁
２３  溜り部
【図１】
2005114591.tif 000003
【図２】
2005114591.tif 000004
【図３】
2005114591.tif 000005
【図４】
2005114591.tif 000006
【図５】
2005114591.tif 000007
【図６】
2005114591.tif 000008
【図７】
2005114591.tif 000009
【図８】
2005114591.tif 000010
【図９】
2005114591.tif 000011
【図１０】
2005114591.tif 000012
【図１１】
2005114591.tif 000013
【図１２】
2005114591.tif 000014
【図１３】
2005114591.tif 000015
【図１４】
2005114591.tif 000016